(57)【特許請求の範囲】
【請求項１】
機枠の両端部に中心線を共有する始端部側円筒及び終端部側円筒を有し、中央部に上記両円筒の対向端に設けた対向フランジの対向面に設けた軸受フレームに等間隔に穿設した複数の軸受孔内に複数のロッドの両端部を挿入支持して始端部側が高い傾斜回転ドラムを形成し、
該ドラムが上記中心線とほぼ平行方向の篩分け間隙を介在させた複数の上記ロッドによって形成され、
かつ該ロッドの外径を該ロッドの両端の軸受孔の内径よりも小に形成して該ロッドを上記軸受孔内において上下及び水平又はその合成方向に可動又は遊動状態に支持し、かつ上記始端部側円筒、上記複数のロッド及び終端部側円筒の内径を段差状に順次拡大したことを特徴とするドラムスクリーン。
【請求項２】
上記軸受孔内の上記ロッドの外径よりも上記軸受孔間のロッドの外径が大で該軸受孔間のロッドの中心線が軸受孔内のロッドの中心線と偏心している請求項１記載のドラムスクリーン。
【請求項３】
上記対向面に設けた軸受フレームに穿設した上記軸受孔の内面と該軸受孔内のロッドの両端部外面との間に弾性体を介在させた請求項１又は２に記載のドラムスクリーン。
【発明の詳細な説明】
【０００１】
【発明の属する技術分野】
本発明は残土等（汚泥、浚渫土を含む）の処理設備において、粘性土の篩分けに適したスクリーンに関するものである。
【０００２】
【従来の技術】
従来、附着性原料の篩分けにはロールスクリーン等が適しているが、附着性が高い原料、例えば、粘性土等を篩い分ける場合、原料自体は微粒子の塊であるために、篩目を通過する必要があるにもかかわらず、その粘性のために、場合によっては通過出来ずに、そのままオーバーサイズとして排出されていた。この原因として、
１．附着性が高い原料自体は、篩分面、例えば、ロールスクリーンであれば、ロール上では原料自身の重量だけでは粘着性を薄める（原料を解砕する）機能は無く、篩分面を、ただ移動するだけとなる。
２．また、この対策として、篩分機の外部に解砕機を設けた場合、解砕機自身が篩い分け原料の流れを妨げる恐れがある。
３．更に、附着性が高い原料だけの解砕として、ナイフ状のカッターを用いる場合があるが、原料中に礫等が混入していた場合、カッターの強度不足および、礫による磨耗が発生する。
４．上記理由により、附着性が高い原料は、例えば建設発生土の中の粘性土等は、リサイクルとしては、利用できないでいた。
【０００３】
【発明が解決しようとする課題】
本発明は附着性が高い原料を篩目に附着させるおそれがなく円滑に篩分けることのできるドラム形スクリーンを得ることを目的とする。
【０００４】
【課題を解決するための手段】
上記の目的を達成するために本発明は、
第１に機枠の両端部に中心線を共有する始端部側円筒及び終端部側円筒を有し、中央部に上記両円筒の対向端に設けた対向フランジの対向面に設けた軸受フレームに等間隔に穿設した複数の軸受孔内に複数のロッドの両端部を挿入支持して始端部側が高い傾斜回転ドラムを形成し、該ドラムが上記中心線とほぼ平行方向の篩分け間隙を介在させた複数の上記ロッドによって形成され、かつ該ロッドの外径を該ロッドの両端の軸受孔の内径よりも小に形成して該ロッドを上記軸受孔内において上下及び水平又はその合成方向に可動又は遊動状態に支持し、かつ上記始端部側円筒、上記複数のロッド及び終端部側円筒の内径を段差状に順次拡大したことを特徴とするドラムスクリーン、
第２に上記軸受孔内の上記ロッドの外径よりも上記軸受孔間のロッドの外径が大で該軸受孔間のロッドの中心線が軸受孔内のロッドの中心線と偏心している上記第１発明記載のドラムスクリーン、
第３に上記対向面に設けた軸受フレームに穿設した上記軸受孔の内面と該軸受孔内のロッドの両端部外面との間に弾性体を介在させた上記第１又は第２発明記載のドラムスクリーン、
によって構成される。
【０００５】
【発明の実施の形態】
長方形中空台枠６の始端部角部及び終端部角部にそれぞれ支持台６’、６’及び６”、６”を立設する。始端部側支持台６’、６’は終端部側支持台６”、６”よりも高く形成され機枠１とする。
【０００６】
上記支持台６’、６’及び６”、６”の上端にそれぞれ軸受板７，７を設け、軸受板７，７間に回転ドラム２の支持ローラ８をピン９で遊支する。
【０００７】
上記回転ドラム２は両端部に上記中心線ｃを共有する始端部側円筒５及び終端部側円筒５’を有し、中央部には両円筒５，５’の対向端に設けた対向フランジ１０，１０’を接続する複数のロッド３が設けられる。
【０００８】
始端部側の支持ローラ８，８によって始端部側円筒５の外周に設けた受環１１を支持し、終端部側の支持ローラ８，８によって終端部側円筒５’の外周に設けた受環１１を支持し、始端部側円筒５の外周に設けたスプロケット１２と、上記台枠６の外側に固定した小機台１３上の減速電動機１４の減速軸１５に設けた駆動スプロケット１６とに駆動用無端チエン１７を掛回し上記回転ドラム２を中心線ｃの回りに回転させる。
【０００９】
上記複数のロッド３，３間には中心線ｃとほぼ平行方向の篩分け間隙ｔを介在し、ロッド３，３の両端部は軸受フレーム１８，１８にそれぞれ等間隔に穿設した軸受孔４内に挿入されて両端が支持され、軸受フレーム１８，１８は上記対向フランジ１０，１０’の対向面にボルト１９によって固定される。
【００１０】
そして上記ロッド３の外径ｄは上記軸受孔４の内径Ｄより小であって図２（イ）（ロ）図、図６(イ)(ロ)図に示すようにロッド３は軸受孔４内において回転ドラム２の回転に伴うフレーム１８の中心線ｃのまわりの回転によって公転及び自転しかつ該中心線ｃと直交方向（上下、水平及びその合成方向）に遊動する。
【００１１】
そのためロッド３，３間の篩分け間隙ｔは軸受孔４の内径Ｄとロッド３の外径ｄとの差の２倍の範囲内において上記ドラム２の回転に伴って拡縮することになる。
【００１２】
上記ロッド３の中程にも中間軸受フレーム１８’を設け、該フレーム１８’及びロッド３の両端のフレーム１８，１８の外周にそれぞれ４個の突出部１８”を設け、該突出部１８”に穿設した透孔２０にこれらのフレーム１８，１８，１８’の固定用連管２１を嵌挿し、該連管２１によって中間軸受フレーム１８’を上記対向フランジ１０，１０’に固定し、回転ドラム２と共に回転させることができる。
【００１３】
又始端部側円筒５、中央部ロッド３部、終端部円筒５’の内径を段差状に順次拡大する。
【００１４】
従って回転ドラム２の始端開口部２２から投入された附着性の高い原料はロッド３，３間の篩分け間隙ｔにおいてロッド３，３が自転及び中心線ｃの回りに公転するばかりでなく、軸受孔４内を上下及び水平又はその合成方向（中心線ｃと直交方向）に遊動して附着性原料中の微粒子がロッド３，３に附着しようとすることを妨げることができるし、篩分け間隙ｔが拡縮して上記附着性原料をロッド３に附着させることなく上記間隙ｔから排出することができる。
【００１５】
又図５に示すように軸受孔４の内面とロッド３の外面との間にゴム等による弾性体Ｅを介在させ、軸受孔４内のロッド３の動作に弾力性を与えることができる。又軸受孔４内のロッド３の外径ｄよりも軸受孔４，４間にあるロッド３’の外径ｄ’を大となし、軸受孔４内のロッド３の中心線ｃ’と軸受孔４，４間にあるロッド３’の中心線ｃ”とを偏心させることによって偏心回動又は揺動させることによって附着物を落とすことができる（図６(イ)(ロ)図）。
【００１６】
又、ロッドを支えるフレーム１８が堰となり、礫はこの堰を乗り越え難いので、フレーム１８とフレーム１８との間に滞留し、しかも、フレームの回転によって礫が持ち上げられ、その重量によって附着性原料が解砕され、ロッド３間を通り抜ける。
【００１７】
尚図１中２３は原料投入フード、２４は投入シュート、２５は篩下（アンダーサイズ）のホッパー、図４中２６はピン９の止め金である。
【００１８】
【発明の効果】
本発明は上述のように構成したので附着性原料を含む残土篩い分け処理においてロッド間の篩い分け間隙が回転ドラムの回転に伴って若干変動し、かつロッドは自転及び公転し又は弾性振動や偏心回動或は揺動すると共に上記ドラムの中心線と直交方向に若干遊動するため附着性原料は上記間隙を円滑に通過し、篩い分け間隙を詰まらせるおそれが少なく附着性原料を含む残土処理の篩い分けを円滑に行い得る効果がある。
【図面の簡単な説明】
【図１】本発明のドラムスクリーンを示す縦断側面図である。
【図２】（イ）図は図１Ａ−Ａ、Ａ’−Ａ’、Ａ”−Ａ”線による軸受フレームの正面図である。
（ロ）図は（イ）図の一部拡大図である。
【図３】図１Ｂ−Ｂ線による縦断面図である。
【図４】図１Ｃ−Ｃ線による縦断面図である。
【図５】軸受孔とロッドとの間に弾性体を介在させた状態の拡大正面図である。
【図６】  (イ)図は偏心ロッドの側面図である。
(ロ)図は(イ)図を左方から見た正面図である。
【符号の説明】
１      機枠
２      回転ドラム
ｃ      中心線
ｔ      篩分け間隙
３，３’  ロッド
ｄ、ｄ’  外径
４      軸受孔
Ｄ      内径
５，５’  円筒
ｃ’、ｃ”  ロッドの中心線
Ｅ      弾性体
【図１】
0004272340.tif 000002
【図２】
0004272340.tif 000003
【図３】
0004272340.tif 000004
【図４】
0004272340.tif 000005
【図５】
0004272340.tif 000006
【図６】
0004272340.tif 000007